(57)【要約】      （修正有）【課題】光ディスクを保管することができる写真立ての提供。【解決手段】スタンド本体１と、光ディスク４を収容する円形の凹部が形成されたディスク収容部２１を有する光ディスクケース本体２と、光ディスクケース本体２上面を被覆する蓋体３と、蓋体３上面に設けられ、当該蓋体上面に写真を保持する写真保持部材とを備える。【選択図】図１
0003134938.tif 000002
【実用新案登録請求の範囲】
【請求項１】
光ディスクを収容する円形の凹部が形成されたディスク収容部を有する光ディスクケース本体と、
上記光ディスクケース本体上面を被覆する蓋体と、
上記蓋体上面に設けられ、当該蓋体上面に写真を保持する写真保持部材と、
を備えることを特徴とする写真立て。
【請求項２】
上記光ディスクケース本体は、上記ディスク収容部の中央に、ディスク収容部の底面と光ディスクの記録面とを離間させるスペーサを有する
ことを特徴とする請求項１記載の写真立て。
【請求項３】
上記光ディスクケース本体は、上記ディスク収容部の円周に、切欠部を有する
ことを特徴とする請求項２記載の写真立て。
【請求項４】
上記光ディスクケース本体は、上記ディスク収容部の中央に、光ディスクのセンターホールに嵌合可能なスポンジ製のクランプ部を有する
ことを特徴とする請求項１乃至３の何れか一項に記載の写真立て。
【請求項５】
上記光ディスクケース本体は、紙製である
ことを特徴とする請求項１乃至４の何れか一項に記載の写真立て。
【請求項６】
上記光ディスクケース本体を支持するスタンド本体と、
上記スタンド本体の裏面に取り付けられ、当該スタンド本体を支持する脚体と、
を更に備えることを特徴とする請求項１乃至５の何れか一項に記載の写真立て。
【考案の詳細な説明】
【技術分野】
【０００１】
本考案は、写真立てに係り、より詳細には、光ディスクを収容して保管することができる写真立てに関する。
【背景技術】
【０００２】
従来、さまざまな写真立てが使用されている。下記の特許文献１には、前面に写真を取り付けることができ、かつ、裏側に写真やフィルムネガの保管部を有する写真立てが開示されている。
【０００３】
【特許文献１】特開平９−２７６１０５号公報
【考案の開示】
【考案が解決しようとする課題】
【０００４】
近年、デジタルスチルカメラやデジタルビデオカメラといったデジタル映像技術が進歩している。これに伴い、撮像された画像も、従来のネガフィルムや磁気テープといった記録媒体から、ＣＤ（コンパクトディスク、compact disc）やＤＶＤ(デジタルビデオディスク、digital video disc)といった光ディスクに記録されることが多くなってきている。
【０００５】
デジタル映像技術においては、１枚の光ディスクに膨大な量の画像データを記録することができる。このため、光ディスクに記録された全ての画像データをプリントし、写真としてアルバムに保存することは困難となっている。その結果、デジタル機器で撮像された画像データについては、一般に、光ディスクそのものを保管し、必要なときに、ＤＶＤプレーヤ等の再生装置を使用して、記録されている画像をディスプレイの画面に表示させている。
【０００６】
また、デジタル撮像機器によって撮像された画像の場合、撮像された画像データのうちから選択された一部のものだけがプリントされ、例えば、写真立てに入れて飾られることも多い。
【０００７】
ところで、光ディスクは、通常、写真立てとは別個の場所に保管されている。その結果、写真立ての写真と関連する他の画像を再生しようと思っても、所望の光ディスクを直ちに探し出し、取り出すことが困難な場合があった。
【０００８】
そこで、本考案は、光ディスクを保管することができる写真立てを提供することを目的としている。
【課題を解決するための手段】
【０００９】
上記の目的を達成するため、本考案の写真立ては、光ディスクを収容する円形の凹部が形成されたディスク収容部を有する光ディスクケース本体と、光ディスクケース本体上面を被覆する蓋体と、蓋体上面に設けられ、当該蓋体上面に写真を保持する写真保持部材と、を備えることを特徴としている。
【００１０】
このように、本考案の写真立ては、光ディスクケース本体に光ディスクを保管するとともに、蓋体上面に写真を保持して写真を鑑賞することができる。これにより、その光ディスクに記録されている画像データの一部をプリントして写真立てに飾っておけば、その光ディスクを直ぐに取り出すことができるので、その写真に関連する画像データを手軽に再生することができる。
【００１１】
また、本考案において好ましくは、光ディスクケース本体は、ディスク収容部の中央に、ディスク収容部の底面と光ディスクの記録面とを離間させるスペーサを有する。これにより、光ディスクケースのディスク収容部に収容された光ディスクの記録面が、ディスク収容部の底面と接触することを防止することができる。
【００１２】
また、本考案において好ましくは、ディスク収容部の円周に切欠部を有する。これにより、切欠部に指を入れて、光ディスクをディスク収容部から容易に取り出すことができる。
【００１３】
また、本考案において好ましくは、ディスク収容部の中央に、光ディスクのセンターホールに嵌合可能なスポンジ製のクランプ部を有する。これにより、光ディスクをディスク収容部から容易に取り出すことができる。
【００１４】
また、本考案において好ましくは、光ディスクケース本体は、紙製である。これにより、写真立てのコストの低減を図ることができる。
【００１５】
また、本考案において好ましくは、光ディスクケース本体を支持するスタンド本体と、スタンド本体の裏面に取り付けられ、当該スタンド本体を支持する脚体と、を更に備える。これにより、写真立てを安定的に支持することができる。
【考案の効果】
【００１６】
このように、本考案の写真立てによれば、光ディスクを一緒に保管することができる。
【考案を実施するための最良の形態】
【００１７】
以下、添付の図面を参照して、本考案の写真立ての実施形態を説明する。
図１及び図２に示すように、本実施形態の写真立ては、スタンド本体１と、スタンド本体１の上面に設けられた光ディスクケース本体２と、光ディスクケース本体上面を被覆する蓋体と、蓋体上面に設けられ、当該蓋体３の上面３０に写真５を保持する写真保持部材７とを備えている。この写真立てにおいては、蓋体３の上面３０が写真を支持する台板の役割を果たす。
【００１８】
さらに、図３に示すように、本実施形態の写真立ては、スタンド本体を支持する脚体６を備えている。
なお、図３では、写真立てを縦長の姿勢で置いた状態を示しているが、写真立てを横長の姿勢で置いた状態であっても、脚体６はスタンド本体１を支持することができる。
【００１９】
そして、光ディスクケース本体２は、光ディスクを収容する円形の凹部が形成されたディスク収容部２１を有する。光ディスクケース本体２は、紙製であり、ディスク収容部２１は、紙をくりぬいて形成するとよい。
【００２０】
ディスク収容部２１の中央には、光ディスク４のセンターホールに嵌合可能なスポンジ製のクランプ部２２が設けられている。さらに、ディスク収容部２１の円周には、互いに等間隔に４カ所の切欠部２５が形成されている。このように、スポンジのような軟質材料のクランプ部２２や、切欠部２５設けることにより、光ディスク４の着脱が容易となる。
なお、クランプ部２２の材質は、スポンジに限定されず、任意好適なものを採用することができる。
【００２１】
また、ディスク収容部２１の中央のクランプ２２の周囲には、ボール紙製のスペーサ２３が形成されている。このスペーサ２３によって、ディスク収容部２１の底面２４と光ディスク４の記録面とが離間される。その結果、例えば、光ディスクの記録面が底面２４のインクの影響を受けることを避けることができ、また、光ディスクの記録面の傷付きを防止することにもなる。
【００２２】
蓋部３は、矩形形状の厚紙で形成されており、その矩形形状の一辺が光ディスクケース本体２に開閉自在に連結されている。蓋部３及び光ディスクケース本体２の角部には、それぞれ係止部３１及び２６が設けられている。係止部３１及び２６は、例えば、マジックテープ(登録商標)で形成されるとよい。そして、図２に示すように、蓋部３を閉じると、光ディスク４を収容した写真立てとなる。
なお、係止部は、マジックテープ(登録商標)に限定されず、任意好適なものを採用することができる。
【００２３】
写真保持部材７は、蓋部３の上面３０を台板として写真を保持する。写真保持部材７は、中央に開口を有する矩形の枠形状の厚紙から構成されている。写真５は、蓋部３の上面３０と、写真保持部材７とに挟まれて固定される。写真保持部材７は、粘着剤によって、上面３０に取り付けられる。
【００２４】
なお、写真保持部材は、任意好適な構造及び材料を選択することができる。例えば、ガラス板又は透明アクリル板で写真を挟持する構造としてもよいし、写真をクリップ留めする構造としてもよい。また、磁石を利用して写真を挟持する構造としてもよい。
【００２５】
蓋部３の上面３０に飾る写真は、光ディスクケース本体２に収容された光ディスク４に記録された画像データのうちから選択した画像データをプリントしたものであるとよい。これにより、写真立てに飾られている写真によって、その写真立てに保管されている光ディスク４に記録された画像データの内容を容易に知ることができる。また、写真立ての写真に関連する画像データを記録した光ディスクの所在が明らかであり、所望の光ディスクを探し出す手間を省くことができる。
【００２６】
また、本実施形態の写真立ては、光ディスクに記録されている画像データの再生装置の近くに置くのがよい。これにより、写真立てに入れた鑑賞用の写真に関連する画像を見たい場合に、写真立てから光ディスクを取り出して、手軽に再生装置により再生することができる。このように、本実施形態の写真立は、必要なときに手軽に所望の光ディスクの画像データの再生を行うことが可能となる。
【００２７】
上述した各実施形態においては、本考案を特定の条件で構成した例について説明したが、本考案は種々の変更及び組み合わせを行うことができ、これに限定されるものではない。例えば、上述の実施形態では、スタンド本体に光ディスクケース本体を設けた例について説明したが、本発明では、スタンド本体を省略して、光ディスクケースの背面に脚体を直接取り付けてもよい。また、上述の実施形態では、脚体によって支持された写真立ての例を説明したが、本発明では、写真立てを壁面に係止して使用することも可能である。
【図面の簡単な説明】
【００２８】
【図１】本考案の実施形態の写真立ての蓋体を開いた状態での斜視図である。
【図２】本考案の実施形態の写真立ての蓋体を閉じた状態での斜視図である。
【図３】本考案の実施形態の写真立ての背面側の斜視図である。
【符号の説明】
【００２９】
１  スタンド本体
２  光ディスクケース本体
３  蓋体
４  光ディスク
５  写真
６  脚体
７  写真保持部材
２１  ディスク収容部
２２  クランプ部
２３  スペーサ
２４  底面
２５  切欠部
２６  係止部
３０  蓋体上面
３１  係止部
【図１】
0003134938.tif 000003
【図２】
0003134938.tif 000004
【図３】
0003134938.tif 000005